(57)【要約】【課題】  フォーカスレンズ群が軽量化され、有限距離における変倍時のピントずれを防ぐために補正カムを不要とし、ウオブリング時の像高変化率が小さく、インナーフォーカス方式に最適で、ズーム全域でＦナンバーが２．８程度と明るく、広角端の焦点距離が２４ｍｍ程度を有し、全ズーム範囲において良好な光学性能を有する大口径広角ズームレンズを提供する。【解決手段】  物体側より順に負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成され、物体距離無限遠から近距離へフォーカシングする際、前記第２レンズ群Ｇ２が像面方向へ移動し、所定の条件を満足することを特徴とする大口径広角ズームレンズ。【選択図】図１
2018004963.tif 000002
【特許請求の範囲】
【請求項１】
物体側より順に、負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成され、物体距離無限遠から近距離へフォーカシングする際、前記第２レンズ群Ｇ２が像面方向へ移動し、以下の条件を満足することを特徴とする大口径広角ズームレンズ。
（１）１．５＜ｆ２／ｆｔ＜５．０
（２）−２．８＜ＭＲＴ２×（１−Ｍ２Ｔ２）＜−０．５
ただし、
ｆｔ：望遠端状態における物体距離無限遠時の焦点距離
ｆ２：第２レンズ群Ｇ２の焦点距離
Ｍ２Ｔ：望遠端状態における物体距離無限遠時の第２レンズ群Ｇ２の横倍率
ＭＲＴ：望遠端状態における物体距離無限遠時の第３レンズ群Ｇ３から第６レンズ群Ｇ６までの合成横倍率
【請求項２】
以下の条件を満足することを特徴とする請求項１に記載の大口径広角ズームレンズ。
（３）０．３＜ＦｃＥｎｔｐ／ｆ２＜２．５
（４）２．５＜ＦｃＥｎｔｐ／ｆｗ
ただし、
ＦｃＥｎｔｐ：第２レンズ群Ｇ２の物体側のレンズ面を基準とした広角端状態における物体距離無限遠時の第２レンズ群Ｇ２から開口絞りの物体側までの合成光学系による開口絞りの結像位置
ｆｗ：広角端状態における物体距離無限遠時の焦点距離
【請求項３】
前記第２レンズ群Ｇ２は、物体側から順に正の屈折力を有するＧ２Ｆレンズと負の屈折力を有するＧ２Ｒレンズからなり、以下の条件を満足することを特徴とする請求項１または請求項２に記載の大口径広角ズームレンズ。
（５）−０．９＜ｆ２Ｆ／ｆ２Ｒ＜−０．４
ただし、
ｆ２Ｆ：第２レンズ群Ｇ２を構成する物体側のレンズＧ２Ｆの焦点距離
ｆ２Ｒ：第２レンズ群Ｇ２を構成する像側のレンズＧ２Ｒの焦点距離
【請求項４】
変倍時において、前記第１レンズ群Ｇ１が広角端と望遠端で像面に対し固定であることを特徴とする請求項１乃至請求項３のいずれかに記載の大口径広角ズームレンズ。
【発明の詳細な説明】
【技術分野】
【０００１】
本発明はスチルカメラ、ビデオカメラ等の撮像装置に用いる撮影レンズに好適な光学系に関し、オートフォーカスカメラに適したインナーフォーカス方式を採用し、またフォーカスレンズ群を光軸に沿う方向へ微少に振動（ウオブリング）させた際の像高変化率が小さく、大口径な広角ズームレンズに関するものである。
【背景技術】
【０００２】
ズームレンズのフォーカス方式は、オートフォーカス化への要求から、レンズ光学系の最も物体側に配置された第１レンズ群以外の、比較的軽量なレンズ群によりフォーカシングを行うインナーフォーカス方式が望まれていた。
【０００３】
このインナーフォーカス方式のレンズ光学系については、近年、数多く提案されているが、有限距離における変倍時のピントずれを防ぐための補正カムが必要とされており、このためレンズ鏡筒の機構が複雑になるという問題を抱えていた。
【０００４】
インナーフォーカス方式を採用した従来技術として、特許文献１乃至４が開示されている。
【０００５】
特許文献１には、負の屈折力を持つ第１レンズ群と、正の屈折力を持つ第２レンズ群と、負の屈折力を持つ第３レンズ群と、正の屈折力を持つ第４レンズ群と、正の屈折力を持つ第５レンズ群を有し、所定の条件を満足することを特徴とし、最大画角が８０°以上の広画角であり、２．７倍程度の変倍比を達成し、さらにＦナンバーが２．８程度の大口径ズームレンズが開示されている。
【０００６】
さらに、第２レンズ群を、物体側から順に、正の屈折力を持つ前群と、正の屈折力を持つ後群から構成し、無限遠物体から近距離物体へのフォーカシングの際に、前記前群を光軸に沿って移動させることとしている。
【０００７】
特許文献２には、正の屈折力を有する第１レンズ群、負の屈折力を有する第２レンズ群、複数のレンズ群を含み全体として正の屈折力を有する後群を有し、ズーミングに際して、隣り合うレンズ群の間隔が変化するズームレンズにおいて、前記第２レンズ群は、最も物体側から像側へ順に、負レンズ、負レンズと正レンズの接合レンズを含み、前記第２レンズ群は５枚以上のレンズを有し、前記第１レンズ群の焦点距離をｆ１、前記第２レンズ群の焦点距離をｆ２、前記接合レンズを構成する正レンズの屈折率をＮｄｐ、前記接合レンズを構成する負レンズの屈折率をＮｄｎとし、所定の条件を満足することを特徴とし、大口径かつ広画角であるズームレンズが開示されている。
【０００８】
さらに、第２レンズ群Ｌ２を、フォーカシングの際に光軸方向に移動させることとしている。なお、フォーカシングはズームレンズ全体又は任意の１つのレンズ群を移動させて行っても良いとしている。
【０００９】
特許文献３には、物体側から順に負負正正の４群で構成し、物体距離無限遠から近距離物体へフォーカシングする際に、第３レンズ群Ｌ３が像面方向へ移動させ、第３レンズ群の屈折力、および第３、４レンズ群の倍率を適切に設定することを特徴とし、インナーフォーカスに最適で広画角のズームレンズが開示されている。
【００１０】
特許文献４には、物体側より順に負の屈折力の第１レンズ群Ｇ１、正の屈折力の単レンズからなる第２レンズ群Ｇ２、正の屈折力の第３レンズ群Ｇ３、正の屈折力の第４レンズ群Ｇ４、負の屈折力の第５レンズ群Ｇ５で構成され、物体側無限遠から近距離物体へフォーカシングする際に、前記第２レンズ群Ｇ２を像面方向へ移動させ、所定の条件を満足することを特徴とし、フォーカスレンズ群が軽量で、像高変化率が小さく、インナーフォーカスに最適な、画角が１２０度を超える広画角の超広角ズームレンズが開示されている。
【先行技術文献】
【特許文献】
【００１１】
【特許文献１】特開２００７−９３９７６号公報
【特許文献２】特開２０１３−１６０９４４号公報
【特許文献３】特開２００１−１８８１７１号公報
【特許文献４】特開２０１５−２０３７３４号公報
【発明の概要】
【発明が解決しようとする課題】
【００１２】
上述のとおり、オートフォーカス化の要求から、ズームレンズのフォーカス形式には第１レンズ群以外の比較的軽量なレンズ群によりフォーカシングを行うインナーフォーカス方式が望まれている。このインナーフォーカス方式のレンズ光学系については、近年、数多く提案されている一方で、有限距離における変倍時のピントずれを防ぐための補正カムが必要となり機構が複雑になるという問題を抱えている。
【００１３】
また、近年台頭してきたミラーレス一眼カメラでは、フォーカスレンズ群を光軸に沿う方向へ微少な振動（ウオブリング）をさせ続けることで、常にフォーカス駆動方向を判断し続ける方式のインナーフォーカス方式が開発されてきた。このようなインナーフォーカス方式では、ウオブリング時の像高変化率が大きいと、鑑賞者が画面に映る被写体の倍率変動を認識して目障りに感じてしまう問題が生じるおそれがある。したがって、ウオブリング時のフォーカスレンズ群の振動に対して像高変化率が小さいインナーフォーカス形式が望まれていた。
【００１４】
特許文献１で開示されているズームレンズでは、第２レンズ群を２つに分け、軽量な第２レンズ群の前群でインナーフォーカスしているものの、変倍時に同一物体距離へ合焦するためのフォーカスレンズ群の繰り出し量が変化することにより、有限距離における変倍時のピントずれを防ぐための補正カムを必要とし、機構が複雑になる問題を抱えている。さらに、ウオブリング時の像高変化率が大きい問題は解決できていない。
【００１５】
特許文献２で開示されているズームレンズでは、変倍にも寄与する第２レンズ群Ｌ２を光軸方向に移動させてインナーフォーカスしているため、変倍時に同一物体距離へ合焦するためのフォーカスレンズ群の繰り出し量が変化することにより、有限距離における変倍時のピントずれを防ぐために補正カムを必要とし、機構が複雑になる問題を抱えている。さらに、ウオブリング時の像高変化率が大きい問題は解決できていない。また、フォーカシングはズームレンズ全体又は任意の１つのレンズ群を移動させて行っても良い、との記載はあるもののウオブリング時の像高変化率を小さくする具体的な解決方法は開示されていない。
【００１６】
特許文献３で開示されているズームレンズでは、変倍時に同一物体距離へ合焦するためのフォーカスレンズ群の繰り出し量を一定とするインナーフォーカスが構成されているものの、Ｆナンバーが、広角端で３程度、望遠端で４程度しかなく大口径化が十分ではない。
【００１７】
特許文献４で開示されている超広角ズームレンズでは、変倍時に同一物体距離へ合焦するためのフォーカスレンズ群の繰り出し量を一定とするインナーフォーカスが構成されており、さらに、像倍率変動が抑えられているが、Ｆナンバーが、広角端で４．５程度、望遠端で５．６程度しかなく大口径化が十分ではない。
【課題を解決するための手段】
【００１８】
上記の課題を解決するため、第１の発明は、物体側より順に、負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成され、物体距離無限遠から近距離へフォーカシングする際、前記第２レンズ群Ｇ２が像面方向へ移動し、以下の条件を満足することを特徴とする大口径広角ズームレンズとした。
（１）１．５＜ｆ２／ｆｔ＜５．０
（２）−２．８＜ＭＲＴ２×（１−Ｍ２Ｔ２）＜−０．５
ただし、
ｆｔ：望遠端状態における物体距離無限遠時の焦点距離
ｆ２：第２レンズ群Ｇ２の焦点距離
Ｍ２Ｔ：望遠端状態における物体距離無限遠時の第２レンズ群Ｇ２の横倍率
ＭＲＴ：望遠端状態における物体距離無限遠時の第３レンズ群Ｇ３から第６レンズ群Ｇ６までの合成横倍率
【００１９】
第２の発明は、さらに、以下の条件を満足することを特徴とする大口径広角ズームレンズとした。
（３）０．３＜ＦｃＥｎｔｐ／ｆ２＜２．５
（４）２．５＜ＦｃＥｎｔｐ／ｆｗ
ただし、
ＦｃＥｎｔｐ：第２レンズ群Ｇ２の物体側のレンズ面を基準とした広角端状態における物体距離無限遠時の第２レンズ群Ｇ２から開口絞りの物体側までの合成光学系による開口絞りの結像位置
ｆｗ：広角端状態における物体距離無限遠時の焦点距離
【００２０】
第３の発明は、さらに、前記第２レンズ群Ｇ２は、物体側から順に正の屈折力を有するＧ２Ｆレンズと負の屈折力を有するＧ２Ｒレンズからなり、以下の条件を満足することを特徴とする大口径広角ズームレンズとした。
（５）−０．９＜ｆ２Ｆ／ｆ２Ｒ＜−０．４
ただし、
ｆ２Ｆ：第２レンズ群Ｇ２を構成する物体側のレンズＧ２Ｆの焦点距離
ｆ２Ｒ：第２レンズ群Ｇ２を構成する像側のレンズＧ２Ｒの焦点距離
【００２１】
第４の発明は、さらに、変倍時において、前記第１レンズ群Ｇ１が広角端と望遠端で像面に対し固定であることを特徴とする大口径広角ズームレンズとした。
【発明の効果】
【００２２】
本発明によれば、各レンズ群の屈折力配置を適切に設定することにより、フォーカスレンズ群が軽量化され、有限距離における変倍時のピントずれを防ぐために補正カムを不要とし、ウオブリング時の像高変化率が小さく、インナーフォーカス方式に最適で、ズーム全域でＦナンバーが２．８程度と明るく、広角端の焦点距離が２４ｍｍ程度を有し、全ズーム範囲において良好な光学性能を有する大口径広角ズームレンズを提供することができる。
【図面の簡単な説明】
【００２３】
【図１】本発明の実施例１の大口径広角ズームレンズの広角端における無限遠合焦時でのレンズ構成図である。
【図２】本発明の実施例１の無限遠物体における縦収差図であり、ａが広角端、ｂが中間焦点距離（５２．１８ｍｍ）、ｃが望遠端のものである。
【図３】本発明の実施例１の無限遠物体における横収差図であり、ａが広角端、ｂが中間焦点距離（５２．１８ｍｍ）、ｃが望遠端のものである。
【図４】本発明の実施例１の物体距離５００ｍｍにおける縦収差図であり、ａが広角端、ｂが中間焦点距離（５２．１８ｍｍ）、ｃが望遠端のものである。
【図５】本発明の実施例１の物体距離５００ｍｍにおける横収差図であり、ａが広角端、ｂが中間焦点距離（５２．１８ｍｍ）、ｃが望遠端のものである。
【図６】本発明の実施例２の大口径広角ズームレンズの広角端における無限遠合焦時でのレンズ構成図である。
【図７】本発明の実施例２の無限遠物体における縦収差図であり、ａが広角端、ｂが中間焦点距離（４２．５２ｍｍ）、ｃが望遠端のものである。
【図８】本発明の実施例２の無限遠物体における横収差図であり、ａが広角端、ｂが中間焦点距離（４２．５２ｍｍ）、ｃが望遠端のものである。
【図９】本発明の実施例２の物体距離５００ｍｍにおける縦収差図であり、ａが広角端、ｂが中間焦点距離（４２．５２ｍｍ）、ｃが望遠端のものである。
【図１０】本発明の実施例２の物体距離５００ｍｍにおける横収差図であり、ａが広角端、ｂが中間焦点距離（４２．５２ｍｍ）、ｃが望遠端のものである。
【図１１】本発明の実施例３の大口径広角ズームレンズの広角端における無限遠合焦時でのレンズ構成図である。
【図１２】本発明の実施例３の無限遠物体における縦収差図であり、ａが広角端、ｂが中間焦点距離（４２．４０ｍｍ）、ｃが望遠端のものである。
【図１３】本発明の実施例３の無限遠物体における横収差図であり、ａが広角端、ｂが中間焦点距離（４２．４０ｍｍ）、ｃが望遠端のものである。
【図１４】本発明の実施例３の物体距離５００ｍｍにおける縦収差図であり、ａが広角端、ｂが中間焦点距離（４２．４０ｍｍ）、ｃが望遠端のものである。
【図１５】本発明の実施例３の物体距離５００ｍｍにおける横収差図であり、ａが広角端、ｂが中間焦点距離（４２．４０ｍｍ）、ｃが望遠端のものである。
【図１６】本発明の実施例４の大口径広角ズームレンズの広角端における無限遠合焦時でのレンズ構成図である。
【図１７】本発明の実施例４の無限遠物体における縦収差図であり、ａが広角端、ｂが中間焦点距離（４１．９９ｍｍ）、ｃが望遠端のものである。
【図１８】本発明の実施例４の無限遠物体における横収差図であり、ａが広角端、ｂが中間焦点距離（４１．９９ｍｍ）、ｃが望遠端のものである。
【図１９】本発明の実施例４の物体距離５００ｍｍにおける縦収差図であり、ａが広角端、ｂが中間焦点距離（４１．９９ｍｍ）、ｃが望遠端のものである。
【図２０】本発明の実施例４の物体距離５００ｍｍにおける横収差図であり、ａが広角端、ｂが中間焦点距離（４１．９９ｍｍ）、ｃが望遠端のものである。
【発明を実施するための形態】
【００２４】
以下、本発明の大口径広角ズームレンズの実施例について説明する。
【００２５】
本発明の大口径広角ズームレンズは、図１、６、１１、１６のレンズ構成図に示すとおり、物体側より順に、負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成され、物体側無限遠から近距離物体へフォーカシングする際、第２レンズ群Ｇ２が像面方向へ移動する。
【００２６】
本発明の大口径広角ズームレンズでは、レンズ光学系における屈折力配置について、物体側より順に、負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成することにより、レンズ光学系全体をレトロフォーカス化して広角端の焦点距離を広画角な２４ｍｍ程度を達成した。
【００２７】
さらに、第２レンズ群Ｇ２の屈折力を正とし、フォーカスレンズ群である第２レンズ群Ｇ２から見た開口絞りの像を遠方に形成することとし、また、フォーカスレンズ群である第２レンズ群Ｇ２の横倍率と、第２レンズ群Ｇ２以降のレンズ群の合成横倍率を規定することにより、ウオブリング時の像高変動を微小にすることを可能とした。
【００２８】
さらに、第２レンズ群Ｇ２の変倍作用をなくすことで、変倍時に同一物体距離へ合焦するためのフォーカスレンズ群の繰り出し量を一定とすることにより、レンズ鏡筒のフォーカス機構が複雑になる問題を解消した。
さらに、第２レンズ群Ｇ２を物体側から順に正レンズと負レンズの２枚構成にすることにより、大口径化におけるフォーカシング時の収差変動を少なくした。
【００２９】
また、変倍時において第１レンズ群Ｇ１を像面に対し広角端、望遠端で固定とすることで、レンズ鏡筒のメカ構造的に信頼性の高い製品を得ることができる。一方、変倍時に第１レンズ群Ｇ１を像面に対し移動させることでズーム域中で最も縮小したポジションに製品全長を縮小することが可能となる。
【００３０】
ここで、フォーカス群である第２レンズ群Ｇ２から見た開口絞りの像を遠方に形成すること、およびフォーカスレンズ群である第２レンズ群Ｇ２の横倍率と、それ以降のレンズ群の合成横倍率を規定することにより、ウオブリング時の像高変動を微小にすることができる理由を以下に説明する。
【００３１】
ウオブリングによる像高変動はウオブリングによる歪曲収差の変動で表すことができる。松居吉哉著、レンズ設計法、共立出版Ｐ８８によれば３次の歪曲収差係数Ｖは以下の式であらわされる。
Ｖ＝Ｊ・ＩＶ
これを展開すると以下になり、３次の歪曲収差係数Ｖは近軸主光線高Ｈ’の３乗に比例する。
Ｖ＝（（Ｈ’・Ｑ’）３／（Ｈ・Ｑ））・Ｈ２・Δ（１／（ｎ・ｓ））＋Ｐ・（Ｈ’・Ｑ’）／（Ｈ・Ｑ）      参考式（１）
【００３２】
これより、ウオブリングによる歪曲収差の変動を少なくするには、ウオブリングによるフォーカスレンズ群の近軸主光線高の変動を少なくすればよい。
ここで、物体距離無限遠時の第２レンズ群Ｇ２の物体側の面を基準とした、第３レンズ群Ｇ３による開口絞りの像の位置、およびフォーカスレンズ群である第２レンズ群Ｇ２の横倍率、フォーカスレンズ群より後方のレンズ群である第３レンズ群Ｇ３から第６レンズ群Ｇ６までの合成横倍率、およびフォーカスレンズ群における主光線高から、ウオブリングによるフォーカスレンズ群の主光線高の変動Δｈは以下の式で表される。
Δｈ＝ｈ’−ｈ＝ｈ・Δｓ／（ＦｃＥｎｔｐ×ＭＲ２・（１−Ｍ２２））      参考式（２）
ただし、
ＦｃＥｎｔｐ：第２レンズ群Ｇ２の物体側のレンズ面を基準とした広角端状態における、物体距離無限遠時の、第２レンズ群Ｇ２から開口絞りの物体側までの合成光学系による開口絞りの結像位置
Δｓ：ウオブリング時の像面移動量
ｈ：物体距離無限遠時のフォーカスレンズ群における主光線高
ｈ’：ウオブリング時のフォーカスレンズ群における主光線高
Ｍ２：物体距離無限遠時の第２レンズ群Ｇ２の横倍率
ＭＲ：物体距離無限遠時の第３レンズ群Ｇ３から第６レンズ群Ｇ６までの合成横倍率
【００３３】
さらに、本実施例の大口径広角ズームレンズは、以下の条件式（１）を満足することを特徴とする。
（１）１．５＜ｆ２／ｆｔ＜５．０
ただし、
ｆｔ：望遠端状態における物体距離無限遠時の焦点距離
ｆ２：第２レンズ群Ｇ２の焦点距離
【００３４】
条件式（１）は、フォーカスレンズ群である第２レンズ群Ｇ２の焦点距離を規定し、合焦動作の高速化、レンズ光学系の小型化を実現するための条件である。
【００３５】
条件式（１）の下限を超え第２レンズ群Ｇ２の焦点距離ｆ２が短くなると、フォーカスのための繰出し量が短くなりすぎ、正確な合焦位置でフォーカスレンズ群を停止させることが困難になる。また、物体距離変化時の球面収差の変動、特に望遠端での変動を抑制できない。
【００３６】
一方、条件式（１）の上限を超え第２レンズ群Ｇ２の焦点距離ｆ２が長くなると、フォーカスのための繰出し量が大きくなり、第２レンズ群Ｇ２と第３レンズ群Ｇ３との間のスペース確保が困難になりズーム比を高くすることができない。またレンズ光学系の全長の短縮化において不利となるため、広角端状態における第１レンズ群Ｇ１の周辺主光線高の抑制が困難となる。
【００３７】
なお、条件式（１）について、望ましくはその下限値を２．０に、また、上限値を４．０と限定することで、前述の効果をより確実にすることができる。
【００３８】
また、本実施例の大口径広角ズームレンズは、以下の条件式（２）を満足することを特徴とする。
（２）−２．８＜ＭＲＴ２×（１−Ｍ２Ｔ２）＜−０．５
ただし、
Ｍ２Ｔ：望遠端状態における物体距離無限遠時の第２レンズ群Ｇ２の横倍率
ＭＲＴ：望遠端状態における物体距離無限遠時の第３レンズ群Ｇ３から第６レンズ群Ｇ６までの合成横倍率
【００３９】
条件式（２）は、ＡＦ時に合焦範囲内にフォーカスレンズ群である第２レンズ群Ｇ２を駆動制御するため、第２レンズ群Ｇ２、および、第２レンズ群Ｇ２以降の倍率負担を規制する条件である。
【００４０】
条件式（２）は、フォーカシング時に第２レンズ群Ｇ２が移動した際の結像面の敏感度を規定する。この敏感度を適切に規定することにより、ＡＦ時に合焦範囲内にフォーカスレンズ群を駆動制御することが可能となる。また、参考式（２）に示すように、この値がゼロに近づくほどウオブリングによるフォーカスレンズ群の主光線高の変動Δｈが大きくなるため適切な範囲が必要となる。
【００４１】
条件式（２）の上限を超え結像面の敏感度が小さくなると、フォーカスレンズ群の移動量が大きくなり、ウオブリングによるフォーカスレンズ群の主光線高の変動Δｈが大きくなるため、像高変動を抑制する効果は弱くなり、ウオブリング時の像高変動を抑えることが困難になる。さらに、フォーカシングのための第２レンズ群Ｇ２と第３レンズ群Ｇ３とのスペースを確保しなければならず、レンズ光学系をコンパクトにすることが困難になる。
【００４２】
また、条件式（２）の下限を超え結像面の敏感度が大きくなると、フォーカスレンズ群の移動量が少なくなるため、フォーカスレンズ群の微少な動きで結像面が大きく動き、ＡＦ時に合焦範囲内にフォーカスレンズ群である第２レンズ群Ｇ２を駆動制御することが困難になる。
【００４３】
なお、条件式（２）について、望ましくはその上限値を−１．１に、また下限値を−１．８に限定することで、前述の効果をより確実にすることができる。
【００４４】
また、本実施例の大口径広角ズームレンズは、以下の条件式（３）及び（４）を満足することを特徴とする。
（３）０．３＜ＦｃＥｎｔｐ／ｆ２＜２．５
（４）２．５＜ＦｃＥｎｔｐ／ｆｗ
ただし、
ＦｃＥｎｔｐ：第２レンズ群Ｇ２の物体側のレンズ面を基準とした広角端状態における物体距離無限遠時の第２レンズ群Ｇ２から開口絞りの物体側までの合成光学系による開口絞りの結像位置
ｆｗ：広角端状態における物体距離無限遠時の焦点距離
【００４５】
条件式（３）及び（４）は、第２レンズ群Ｇ２の物体側のレンズ面を基準とした広角端状態における物体距離無限遠時の第２レンズ群Ｇ２から開口絞りの物体側までの合成光学系による開口絞りの結像位置と、第２レンズ群Ｇ２の焦点距離及び広角端状態における物体距離無限遠時の焦点距離との比をそれぞれ適切に規定してウオブリング時の像高変動を抑制するための条件である。
【００４６】
条件式（３）の下限を超え、第２レンズ群Ｇ２の物体側のレンズ面を基準とした広角端状態における物体距離無限遠時の第２レンズ群Ｇ２から開口絞りの物体側までの合成光学系による開口絞りの結像位置の距離が小さくなると、ウオブリング時のフォーカスレンズ群の主光線高の変動が大きくなるため、ウオブリング時の像高変動を抑制することが困難になる。
【００４７】
また、条件式（３）の上限を超え、第２レンズ群Ｇ２の物体側のレンズ面を基準とした広角端状態における物体距離無限遠時の第２レンズ群Ｇ２から開口絞りの物体側までの合成光学系による開口絞りの結像位置の距離が大きくなると、フォーカスレンズ群から開口絞りまでの距離が大きくなるため、広角端の光学全長が長くなり、フィルター径の増大や周辺光量を確保することが困難になる。また、第２レンズ群Ｇ２の焦点距離が短くなると、第１乃至第２レンズ群Ｇ２の合成光学系の負の屈折力が弱くなるため、バックフォーカスが短くなり、一眼レフレックスカメラに装着使用する際のクイックリターンミラーへの干渉抑制が困難になる。
【００４８】
なお、条件式（３）について、その下限値をさらに０．５に、また、上限値をさらに１．８に限定することで、前述の効果をより確実にすることができる。
【００４９】
条件式（４）の下限を超え、第２レンズ群Ｇ２の物体側のレンズ面を基準とした広角端状態における物体距離無限遠時の第２レンズ群Ｇ２から開口絞りの物体側までの合成光学系による開口絞りの結像位置の距離が小さくなると、ウオブリング時のフォーカスレンズ群の主光線高の変動が大きくなるため、ウオブリング時の像高変動を抑制することが困難になる。
【００５０】
なお、条件式（４）について、望ましくはその下限値をさらに４．０に限定することで、前述の効果をより確実にすることができる。
【００５１】
また、実施例の大口径広角ズームレンズは、第２レンズ群Ｇ２は、物体側から順に正の屈折力を有するＧ２Ｆレンズと負の屈折力を有するＧ２Ｒレンズからなり、以下の条件を満足することを特徴とする。
（５）−０．９＜ｆ２Ｆ／ｆ２Ｒ＜−０．４
ただし、
ｆ２Ｆ：第２レンズ群Ｇ２を構成する物体側のレンズＧ２Ｆの焦点距離
ｆ２Ｒ：第２レンズ群Ｇ２を構成する像側のレンズＧ２Ｒの焦点距離
【００５２】
条件式（５）は、フォーカスレンズ群である第２レンズ群Ｇ２を構成するレンズの焦点距離を規定することで、大口径化による性能低下、およびフォーカシング時の収差変動を抑制するための条件である。
【００５３】
条件式（５）の下限を超え第２レンズ群Ｇ２を構成するレンズＧ２Ｆの正の屈折力が小さくなる、あるいは第２レンズ群Ｇ２を構成するレンズＧ２Ｒの負の屈折力が大きくなると、望遠端状態でオーバーな球面収差を補正することが困難になる。さらに、至近距離になるほどその影響は顕著になり、フォーカシング時の球面収差の変動を抑制できない。
【００５４】
条件式（５）の上限を超え前記Ｇ２Ｆの正の屈折力が大きく、あるいは前記Ｇ２Ｒの負の屈折力が小さくなると、望遠端状態でアンダーな球面収差を補正することが困難になる。さらに至近距離になるほどその影響は顕著になり、フォーカシング時の球面収差の変動を抑制できない。
【００５５】
なお、第２レンズ群Ｇ２を構成するレンズの屈折力を物体側から順に正、負の屈折力とすることにより、特に大口径化による望遠側の球面収差の補正を容易にしている。
【００５６】
本発明では第１レンズ群Ｇ１が負の屈折力を有するため、第１レンズ群Ｇ１通過後の軸上マージナル光線は発散傾向にある。また、フォーカスレンズ群である第２レンズ群Ｇ２は物体距離無限遠から近距離物体へフォーカシングする際、像面方向へ移動するため、より発散傾向の影響を受けうる。そのため、第１レンズ群Ｇ１直後に正の屈折力を配置することにより、発散傾向を緩和しなければならない。
【００５７】
なお、条件式（５）について、その下限値をさらに−０．７に、また、上限値をさらに−０．６とすることで、前述の効果をより確実にすることができる。
【００５８】
次に、本発明の大口径広角ズームレンズに係る各実施例のレンズ構成と具体的な数値データについて説明する。なお、以下の説明ではレンズ構成を物体側から像側の順番で記載する。
【００５９】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【００６０】
面番号に付した＊（アスタリスク）は、そのレンズ面形状が非球面であることを示している。また、ＢＦはバックフォーカスを表している。
【００６１】
面番号に付した（絞り）は、その位置に開口絞りが位置していることを示している。平面又は開口絞りに対する曲率半径には∞（無限大）を記入している。
【００６２】
［非球面データ］には、［面データ］において＊を付したレンズ面の非球面形状を与える各係数値を示している。非球面の形状は、非球面の形状は、光軸に直交する方向への光軸からの変位をｙ、非球面と光軸の交点から光軸方向への変位（サグ量）をｚ、基準球面の曲率半径をｒ、コーニック係数をＫ、４、６、８、１０、１２次の非球面係数をそれぞれＡ４、Ａ６、Ａ８、Ａ１０、Ａ１２と置くとき、非球面の座標が以下の式で表されるものとする。
【００６３】
2018004963.tif 000003
【００６４】
［各種データ］には、ズーム比及び各焦点距離状態における焦点距離等の値を示している。
【００６５】
［可変間隔データ］には、各焦点距離状態における、無限遠及び物体距離５００ｍｍでの可変間隔及びＢＦの値を示している。
【００６６】
［レンズ群データ］には、各レンズ群を構成する最も物体側の面番号及び群全体の合成焦点距離を示している。
【００６７】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００６８】
また、これらの各実施例における条件式の対応値の一覧を示す。
【００６９】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００７０】
さらに図１、６、１０、１１，１６に示すレンズ構成図において、Ｓは開口絞り、Ｉは像面、中心を通る一点鎖線は光軸である。
【実施例１】
【００７１】
図１は、本発明の実施例１の結像光学系の広角端で無限遠合焦時のレンズ構成図である。物体側より順に負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成される。
【００７２】
第１レンズ群Ｇ１は、物体側に凸面を向けた負メニスカスレンズ、物体側の面は非球面形状で両凹レンズ、物体側に凸面を向けた正メニスカスレンズから成る。
【００７３】
また、第２レンズ群Ｇ２は、両凸レンズ、物体側に凸面を向けた負メニスカスレンズから成る。
【００７４】
また、第３レンズ群Ｇ３は、物体側の面は非球面形状で凸面を向けた負メニスカスレンズと物体側に凸面を向けた正メニスカスレンズとの接合の正レンズ、両凸レンズで構成される。
【００７５】
また、第４レンズ群Ｇ４は、開口絞り、物体側に凹面を向けた正メニスカスレンズと両凹レンズとから成る接合の負レンズ、物体側に凹面を向けた負メニスカスレンズから成る。
【００７６】
また、第５レンズ群Ｇ５は、両凸レンズと物体側に凹面を向けた負メニスカスレンズとから成る接合の正レンズ、像面側の面は非球面形状で物体側に凹面を向けた正メニスカスレンズから成る。
【００７７】
また、第６レンズ群Ｇ６は、両凸レンズと両凹レンズの接合からなる負レンズから成る。
【００７８】
数値実施例１
単位：mm
［面データ］
面番号            r              d             nd             vd
物面                  ∞           (d0)
1              56.7807         3.2000        1.91082          35.25
2              27.9222        14.2519
3*           -104.1794         2.7000        1.77250          49.62
4              59.4100         0.1500
5              47.4587         3.3893        1.92286          20.88
6              76.1948           (d6)
7              64.7639         5.9259        1.77250          49.62
8            -249.9971         0.1500
9             111.0807         1.0000        1.76182          26.61
10              46.6566          (d10)
11*             49.3167         0.8000        1.68893          31.16
12              32.9447         7.7444        1.62299          58.12
13             209.3750         1.4857
14              63.9219         8.4834        1.49700          81.60
15             -71.8376          (d15)
16(絞り)             ∞         1.6500
17            -587.7737         3.8707        1.92286          20.88
18             -39.5294         1.1500        1.54072          47.20
19              45.9206         5.0063
20             -28.4583         1.1500        1.78590          43.93
21            -125.9984          (d21)
22              51.1191         7.6209        1.49700          81.60
23             -33.5588         1.0000        1.92286          20.88
24             -34.9771         0.2000
25            -137.6231         1.3596        1.51680          64.19
26*            -70.5206          (d26)
27             339.7705         6.5055        1.77250          49.62
28             -28.1740         1.2000        1.76182          26.61
29             143.4623           (BF)
像面                  ∞
［非球面データ］
3面           11面           26面
K               -6.6406         0.0000        -3.6506
A4           1.62584E-06   -2.83919E-06    8.14668E-06
A6          -5.23471E-11    3.13040E-10    5.13155E-09
A8          -1.69980E-12   -3.41476E-13    7.68927E-13
A10          4.31858E-15   -7.96020E-16    1.94713E-14
A12         -2.65861E-18         0.0000         0.0000
［各種データ］
ズーム比            2.67
広角           中間           望遠
焦点距離              25.21          52.18          67.27
Fナンバー              2.89           2.88           2.91
全画角2ω             83.21          44.34          34.95
像高Y               21.60          21.60          21.60
レンズ全長              194.00         187.79         194.01
［可変間隔データ］
（物体距離無限遠）
広角           中間           望遠
d0                    ∞             ∞             ∞
d6                1.0000         1.0000         1.0000
d10              43.4545        15.5492         9.5442
d15               0.4614        25.0150        34.6006
d21              15.6849         5.4384         1.6000
d26               1.4000         8.7762        15.2700
BF               52.0056        52.0139        52.0041
（物体距離５００ｍｍ）
広角           中間           望遠
d0              306.0000       312.2138       306.0000
d6                8.0474         7.9290         8.0474
d10              36.4071         8.6202         2.4968
d15               0.4614        25.0150        34.6006
d21              15.6849         5.4384         1.6000
d26               1.4000         8.7762        15.2700
BF               52.0056        52.0138        52.0040
［レンズ群データ］
群             始面           焦点距離
G1                  1          -31.36
G2                  7          166.04
G3                 11           45.23
G4                 16          -39.70
G5                 22           38.42
G6                 27         -383.62
【実施例２】
【００７９】
図６は、本発明の実施例２の結像光学系の広角端で無限遠合焦時のレンズ構成図である。物体側より順に負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成される。
【００８０】
第１レンズ群Ｇ１は、物体側に凸面を向けた負メニスカスレンズ、物体側の面は非球面形状で両凹レンズ、物体側に凸面を向けた正メニスカスレンズから成る。
【００８１】
また、第２レンズ群Ｇ２は、両凸レンズ、物体側に凸面を向けた負メニスカスレンズから成る。
【００８２】
また、第３レンズ群Ｇ３は、物体側の面は非球面形状で凸面を向けた負メニスカスレンズと物体側に凸面を向けた正メニスカスレンズとの接合の正レンズ、両凸レンズ、両凸レンズで構成される。
【００８３】
また、第４レンズ群Ｇ４は、開口絞り、両凸レンズと両凹レンズとから成る接合の正レンズ、物体側に凹面を向けた負メニスカスレンズから成る。
【００８４】
また、第５レンズ群Ｇ５は、両凸レンズと物体側に凹面を向けた正メニスカスレンズと像面側の面は非球面形状で物体側に凹面を向けた負メニスカスレンズとから成る接合の正レンズから成る。
【００８５】
また、第６レンズ群Ｇ６は、両凸レンズと両凹レンズの接合からなる負レンズから成る。
【００８６】
数値実施例２
単位：mm
［面データ］
面番号            r              d             nd             vd
物面                  ∞           (d0)
1              57.4819         3.2000        1.92286          20.88
2              32.8559        16.5839
3*            -99.1776         2.7000        1.62299          58.16
4              46.9941         0.1500
5              41.8131         3.7399        1.92286          20.88
6              54.1424           (d6)
7              70.6840         6.1757        1.73077          40.50
8            -560.1041         0.1500
9              94.5421         1.0000        1.92286          20.88
10              53.6460          (d10)
11*             62.5000         0.8000        1.68893          31.16
12              47.6349         4.4557        1.49700          81.60
13             117.4268         1.6978
14              55.4422         7.0000        1.49700          81.60
15            -194.8117         0.2000
16             306.1779         3.8693        1.49700          81.60
17            -101.5608          (d17)
18(絞り)             ∞         1.6500
19             152.1478         4.5564        1.92286          20.88
20             -48.4339         1.1500        1.61772          49.81
21              50.4337         5.5969
22             -29.1611         1.1500        1.91082          35.25
23            -177.9931          (d23)
24             144.9672         5.5000        1.49700          81.60
25             -45.4414         0.3000
26            -157.3237         5.0585        1.80440          39.58
27             -34.5188         1.0000        1.92119          23.95
28*            -43.0674          (d28)
29              47.7954        15.1487        1.496997         81.60
30             -37.9349         1.2000        1.92286          20.88
31             133.1914           (BF)
像面                  ∞
［非球面データ］
3面           11面           28面
K               -2.7225         0.0000         2.1268
A4           2.53739E-06   -2.07494E-06    4.76511E-06
A6          -2.93382E-09    4.34778E-10    5.32315E-09
A8           5.45469E-12   -6.60208E-13   -1.77872E-12
A10         -6.11676E-15   -1.62051E-16    2.07618E-14
A12          2.68392E-18         0.0000         0.0000
［各種データ］
ズーム比            2.73
広角           中間           望遠
焦点距離              24.75          42.52          67.47
Fナンバー              2.91           2.89           2.91
全画角2ω             84.26          53.32          34.85
像高Y               21.60          21.60          21.60
レンズ全長              210.00         202.59         210.00
［可変間隔データ］
（物体距離無限遠）
広角           中間           望遠
d0                    ∞             ∞             ∞
d6                2.9534         2.9534         2.9534
d10              50.9901        26.6545        13.3578
d17               0.6860        20.2294        35.0206
d23              16.2976         9.1300         1.6000
d28               1.4000         5.9500        19.3900
BF               43.6418        43.6441        43.6450
（物体距離５００ｍｍ）
広角           中間           望遠
d0              290.0000       297.4091       290.0000
d6               13.2790        13.0717        13.2789
d10              40.6645        16.5362         3.0323
d17               0.6860        20.2294        35.0206
d23              16.2976         9.1300         1.6000
d28               1.4000         5.9500        19.3900
BF               43.6417        43.6441        43.6450
［レンズ群データ］
群             始面           焦点距離
G1                  1          -34.95
G2                  7          216.04
G3                 11           50.86
G4                 18          -39.90
G5                 24           37.92
G6                 29         -171.10
【実施例３】
【００８７】
図１１は、本発明の実施例３の結像光学系の広角端で無限遠合焦時のレンズ構成図である。物体側より順に負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成される。
【００８８】
第１レンズ群Ｇ１は、物体側に凸面を向けた負メニスカスレンズ、物体側の面は非球面形状で両凹レンズ、物体側に凸面を向けた正メニスカスレンズから成る。
【００８９】
また、第２レンズ群Ｇ２は、両凸レンズ、物体側に凸面を向けた負メニスカスレンズから成る。
【００９０】
また、第３レンズ群Ｇ３は、物体側の面は非球面形状で凸面を向けた負メニスカスレンズと物体側に凸面を向けた正メニスカスレンズとの接合の正レンズ、両凸レンズ、両凸レンズで構成される。
【００９１】
また、第４レンズ群Ｇ４は、開口絞り、物体両凸レンズと両凹レンズとから成る接合の負レンズ、物体側に凹面を向けた負メニスカスレンズから成る。
【００９２】
また、第５レンズ群Ｇ５は、両凸レンズ、両凸レンズと物体側に凹面を向け像面側の面は非球面形状である負メニスカスレンズとから成る接合の正レンズから成る。
【００９３】
また、第６レンズ群Ｇ６は、物体側に凹面を向けた正メニスカスレンズと両凹レンズと像面側の面は非球面形状である両凸レンズの接合からなる負レンズから成る。
【００９４】
数値実施例３
単位：mm
［面データ］
面番号            r              d             nd             vd
物面                  ∞           (d0)
1              82.0737         3.2000        1.88300          40.80
2              33.7828        16.6911
3*            -86.3807         2.7000        1.59201          67.02
4              61.2027         0.1500
5              49.4166         4.4642        1.65412          39.68
6              78.4369           (d6)
7              70.4214         7.0370        1.88300          40.80
8            -467.4371         0.1500
9             103.1662         1.4000        1.84666          23.78
10              48.5424          (d10)
11*             59.0941         1.0000        1.68893          31.16
12              38.3341         6.5753        1.55032          75.49
13             161.9036         1.0000
14              52.1072         7.0000        1.43700          95.10
15           -1021.8501         0.2000
16             112.5189         4.9127        1.49700          81.60
17            -140.8003          (d17)
18(絞り)             ∞         1.6500
19              82.4553         5.2413        1.92286          20.88
20             -64.7073         1.1500        1.70154          41.15
21              33.4908         6.0882
22             -42.2445         1.1500        1.91082          35.25
23            -217.6580          (d23)
24              60.1843         4.9786        1.49700          81.60
25            -111.4223         0.3000
26             101.6917         5.5336        1.80611          40.73
27             -53.0210         1.0000        1.92119          23.95
28*            -68.4067          (d28)
29            -209.4406         4.6308        1.43700          95.10
30             -42.0351         1.2000
31             -53.0590         1.2000        1.80518          25.46
32              41.4657         4.6414        1.43700          95.10
33*           -274.8184           (BF)
像面                  ∞
［非球面データ］
3面           11面           28面           33面
K               -4.2192         0.0000         1.4332         2.1268
A4           9.07324E-07   -1.82876E-06    4.15709E-06    2.64191E-06
A6           8.94914E-10   -4.01863E-10    6.83879E-10    5.24090E-10
A8          -3.33733E-12    1.07429E-12    7.13829E-13    2.19746E-12
A10          4.41511E-15   -1.43129E-15   -2.50027E-16   -4.31764E-15
A12         -2.06241E-18         0.0000         0.0000         0.0000
［各種データ］
ズーム比            2.71
広角           中間           望遠
焦点距離              24.92          42.40          67.42
Fナンバー              2.91           2.90           2.92
全画角2ω             83.87          54.27          34.88
像高Y               21.60          21.60          21.60
レンズ全長              235.20         201.91         195.00
［可変間隔データ］
（物体距離無限遠）
広角           中間           望遠
d0                    ∞             ∞             ∞
d6                1.0000         1.0000         1.0000
d10              73.1760        31.5320        11.2158
d17               1.3000        12.9157        26.3485
d23              17.7189         9.8879         1.6000
d28               1.4000         5.9584        14.2319
BF               45.3631        45.3692        45.3596
（物体距離５００ｍｍ）
広角           中間           望遠
d0              264.7977       298.0926       305.0000
d6                9.6640         8.8579         8.7092
d10              64.5121        23.6742         3.5066
d17               1.3000        12.9157        26.3485
d23              17.7189         9.8879         1.6000
d28               1.4000         5.9584        14.2319
BF               45.3631        45.3692        45.3595
［レンズ群データ］
群             始面           焦点距離
G1                  1          -33.56
G2                  7          170.95
G3                 11           49.86
G4                 18          -43.87
G5                 24           32.91
G6                 29          -71.62
【実施例４】
【００９５】
図１６は、本発明の実施例４の結像光学系の広角端で無限遠合焦時のレンズ構成図である。物体側より順に負の屈折力の第１レンズ群Ｇ１、正の屈折力の第２レンズ群Ｇ２、正の屈折力の第３レンズ群Ｇ３、開口絞り、負の屈折力の第４レンズ群Ｇ４、正の屈折力の第５レンズ群Ｇ５、負の屈折力の第６レンズ群Ｇ６で構成される。
【００９６】
第１レンズ群Ｇ１は、物体側に凸面を向けた負メニスカスレンズ、物体側の面は非球面形状で両凹レンズ、物体側に凸面を向けた正メニスカスレンズから成る。
【００９７】
また、第２レンズ群Ｇ２は、両凸レンズ、物体側に凸面を向けた負メニスカスレンズから成る。
【００９８】
また、第３レンズ群Ｇ３は、物体側に凸面を向けた正メニスカスレンズ、物体側の面は非球面形状で凸面を向けた負メニスカスレンズと物体側に凸面を向けた正メニスカスレンズとの接合の正レンズ、両凸レンズで構成される。
【００９９】
また、第４レンズ群Ｇ４は、開口絞り、物体両凸レンズと両凹レンズとから成る接合の負レンズ、物体側に凹面を向けた負メニスカスレンズから成る。
【０１００】
また、第５レンズ群Ｇ５は、両凸レンズ、両凸レンズと物体側に凹面を向け像面側の面は非球面形状である負メニスカスレンズとから成る接合の正レンズから成る。
【０１０１】
また、第６レンズ群Ｇ６は、物体側に凹面を向けた正メニスカスレンズと両凹レンズと像面側の面は非球面形状である両凸レンズの接合からなる負レンズから成る。
【０１０２】
数値実施例４
単位：mm
［面データ］
面番号            r              d             nd             vd
物面                  ∞           (d0)
1              73.3360         3.2000        1.88300          40.80
2              32.6118        17.0562
3*            -90.3547         2.7000        1.59201          67.02
4              64.1519         0.1500
5              45.9836         4.1296        1.65412          39.68
6              65.0824           (d6)
7              65.8266         6.7074        1.88300          40.80
8           -2514.8778         0.1500
9             109.0090         1.4000        1.84666          23.78
10              48.8622          (d10)
11              46.8770         6.3637        1.43700          95.10
12             310.2478         0.2000
13*             76.3664         1.0000        1.68893          31.16
14              45.7694         4.7482        1.55032          75.49
15              96.9262         1.0000
16              59.7096         7.3372        1.49700          81.60
17            -110.8784          (d17)
18(絞り)             ∞         1.6500
19             106.7505         5.5606        1.92286          20.88
20             -55.1809         1.1500        1.70154          41.15
21              36.2985         6.5490
22             -40.6051         1.1500        1.91082          35.25
23            -137.5313          (d23)
24              57.4005         5.5000        1.49700          81.60
25             -90.5599         0.3000
26             119.0976         5.2227        1.80611          40.73
27             -57.1342         1.0000        1.92119          23.95
28*            -75.9073          (d28)
29            -537.8493         4.7208        1.437001         95.10
30             -46.4682         1.2000
31             -56.8487         1.2000        1.80518          25.46
32              40.1874         4.5484        1.43700          95.10
33*           -455.7682           (BF)
像面                  ∞
［非球面データ］
3面           13面           28面           33面
K               -4.2548         0.0000         2.0040         0.0000
A4           9.31882E-07   -2.40304E-06    3.71306E-06    3.07556E-06
A6           1.06605E-09   -5.72069E-10    5.92137E-10    6.63578E-10
A8          -3.60753E-12    3.74261E-13    1.41707E-13    8.98190E-12
A10          4.59504E-15   -7.26295E-16    3.16007E-16   -1.54491E-14
A12         -2.12722E-18         0.0000         0.0000         0.0000
［各種データ］
ズーム比            2.75
広角           中間           望遠
焦点距離              24.62          41.99          67.74
Fナンバー              2.91           2.92           2.91
全画角2ω             84.56          54.79          34.72
像高Y               21.60          21.60          21.60
レンズ全長              238.12         204.44         200.00
［可変間隔データ］
（物体距離無限遠）
広角           中間           望遠
d0                    ∞             ∞             ∞
d6                1.5788         1.5788         1.5788
d10              74.3259        31.8270        11.5263
d17               1.3000        12.2973        26.2606
d23              18.1512         9.9977         1.6000
d28               1.4000         7.3782        17.6764
BF               45.4653        45.4699        45.4640
（物体距離５００ｍｍ）
広角           中間           望遠
d0              261.8849       295.5572       300.0000
d6               12.1927        11.2084        11.0921
d10              63.7120        22.1975         2.0131
d17               1.3000        12.2973        26.2606
d23              18.1512         9.9977         1.6000
d28               1.4000         7.3782        17.6764
BF               45.4653        45.4699        45.4638
［レンズ群データ］
群             始面           焦点距離
G1                  1          -34.14
G2                  7          202.36
G3                 11           50.69
G4                 18          -45.61
G5                 24           33.86
G6                 29          -73.73
【０１０３】
［条件式対応値］
条件式／実施例                                     EX1   EX2   EX3   EX4
（１）１．５＜ｆ２／ｆｔ＜５．０                         2.47  3.20  2.54  2.99
（２）−２．８＜ＭＲＴ２×（１−Ｍ２Ｔ２）＜−０．５    -1.76 -1.21 -1.61 -1.30
（３）０．３＜ＦｃＥｎｔｐ／ｆ２＜２．５                 0.66  0.52  1.47  1.07
（４）２．５＜ＦｃＥｎｔｐ／ｆｗ                         4.35  4.53 10.09  8.77
（５）−０．９＜ｆ２Ｆ／ｆ２Ｒ＜−０.４                 -0.63 -0.63 -0.64 -0.69
【０１０４】
なお、本実施例ではフォーカスレンズ群である第２レンズ群Ｇ２を、物体側から順に正、負の屈折力を持つレンズで構成しているが、そのレンズの片面あるいは両面を非球面化して球面収差、非点収差等の補正能力を上げる、あるいは回折光学素子を付加し色収差補正能力を上げることも可能である。
【０１０５】
また、フォーカスレンズ群を変倍時に光軸方向に移動させ、収差補正に自由度を与え、より高性能化、コンパクト化を行うことも可能である。
【符号の説明】
【０１０６】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｓ      開口絞り
Ｉ      像面
【図１】
2018004963.tif 000004
【図２】
2018004963.tif 000005
【図３】
2018004963.tif 000006
【図４】
2018004963.tif 000007
【図５】
2018004963.tif 000008
【図６】
2018004963.tif 000009
【図７】
2018004963.tif 000010
【図８】
2018004963.tif 000011
【図９】
2018004963.tif 000012
【図１０】
2018004963.tif 000013
【図１１】
2018004963.tif 000014
【図１２】
2018004963.tif 000015
【図１３】
2018004963.tif 000016
【図１４】
2018004963.tif 000017
【図１５】
2018004963.tif 000018
【図１６】
2018004963.tif 000019
【図１７】
2018004963.tif 000020
【図１８】
2018004963.tif 000021
【図１９】
2018004963.tif 000022
【図２０】
2018004963.tif 000023